(57)【要約】【課題】画像の編集操作性を向上して、画像編集を直感的に行えるようにした画像編集装置および画像編集プログラムを提供することにある。【解決手段】画像編集装置は、編集対象の画像の選択を受け付ける画像選択受付部と、選択された画像の周りに編集要素を周回的に表示する編集要素表示部とを有する。【選択図】図２
2010224796.tif 000002
【特許請求の範囲】
【請求項１】
編集対象の画像の選択を受け付ける画像選択受付部と、
選択された画像の周りに編集要素を周回的に表示する編集要素表示部と、を有する画像編集装置。
【請求項２】
前記画像選択受付部は、表示手段に表示された複数の画像から、編集対象の画像の選択を受け付け、
前記編集要素表示部は、選択された画像以外の画像をグレイアウトする請求項１に記載の画像編集装置。
【請求項３】
前記編集要素の表示が、画像のサイズを変化する編集に応じてそのサイズが変化する請求項１または２に記載の画像編集装置。
【請求項４】
前記編集要素の表示が、画像を回転する編集に応じて回転する請求項１から３のいずれか1項に記載の画像編集装置。
【請求項５】
コンピュータに、
編集対象の画像の選択を受け付ける画像選択受付ステップと、
選択された画像の周りに編集要素を周回的に表示する編集要素表示ステップと、を実行させるための画像編集プログラム。
【請求項６】
前記画像選択ステップにおいて、表示手段に表示された複数の画像から、編集対象の画像の選択を受け付け、
前記編集要素表示ステップにおいて、選択された画像以外の画像をグレイアウトする請求項５に記載の画像編集プログラム。
【請求項７】
前記編集要素に基づく画像編集を実行するステップをさらに実行させる画像編集プログラムであって、前記編集要素の表示が、画像のサイズを変化する編集に応じてそのサイズが変化する請求項５または６に記載の画像編集プログラム。
【請求項８】
前記編集要素に基づく画像編集を実行するステップをさらに実行させる画像編集プログラムであって、前記編集要素の表示が、画像を回転する編集に応じて回転する請求項５から７のいずれか１項に記載の画像編集プログラム。
【発明の詳細な説明】
【技術分野】
【０００１】
本発明は、画像を編集するための画像編集装置および画像編集プログラムに関する。
【背景技術】
【０００２】
写真店（ミニラボ店とも称される。）では、顧客がデジタル画像データを持ち込み、店内に設置された注文装置で顧客自らが写真プリントの注文を行なえる。この注文装置として、例えば、特許文献１が知られている。
【０００３】
複数の画像を縮小することにより得られた複数の縮小画像を互いに隣接させてランダムに配置して配置画像を生成し、この配置画像を表示し、配置変更の指示により、配置画像に含まれる縮小画像の配置を変更する技術構成が知られている（特許文献１）。これによれば、店頭の注文端末に、画像データを読み込ませ、注文者が複数の画像を選択し、この選択画像を縮小して、ランダムに配置することができ、このランダム配置が気に入らないと再度ランダムに再配置する構成である。
【先行技術文献】
【特許文献】
【０００４】
【特許文献１】特開２００７−２８１３７号公報
【発明の概要】
【発明が解決しようとする課題】
【０００５】
しかしながら、上記の特許文献１の場合には、複数の画像の配置をランダムに配置することができるものの、特定の画像同士の配置換えや、特定画像の削除、特定画像のサイズ編集等を行えず、また、編集操作も煩雑であり、画像編集の操作性の改善が望まれていた。
【０００６】
本発明は、上記実情に鑑みてなされたものであり、その目的は、画像の編集操作性を向上して、画像編集を直感的に行えるようにした画像編集装置および画像編集プログラムを提供することにある。
【課題を解決するための手段】
【０００７】
上記課題を解決するため本発明に係る画像編集装置は、
編集対象の画像の選択を受け付ける画像選択受付部と、
選択された画像の周りに編集要素を周回的に表示する編集要素表示部と、を有する。
【０００８】
この構成の作用効果は以下のとおりである。画像編集装置は、編集対象の画像の選択を受け付ける画像選択受付部と、この選択された画像の周りに編集要素を周回的に表示する編集要素表示部とを有する。画像は、予めモニター等の表示手段に表示される。表示される画像は、１コマ画像の構成でもよく、複数のコマ画像を含むコラージュプリント、アルバムプリント等の形態でもよい。画像選択受付部は、入力手段（マウス、キーボード、専用キー、タッチパネル等）によって選択指示された画像を受け付ける。これによって、編集要素表示部は、選択された画像の周りに編集要素を周回的に表示する。編集要素は、例えば、回転、サイズ変更、特定画像同士の配置換え、削除、ランダムに選択した画像との配置換え等が挙げられる。画像の周りに周回的に配置されるので、画像編集を直感的に行える。そして、任意の編集要素を選択して、編集を実行することができる。編集要素の各機能は、画像編集装置が備えているが、他の装置の編集機能を用いて実行するように構成してもよい。
【０００９】
また、画像編集装置は、それ単独で機能してもよく、他の装置と共同に機能してもよく、例えば、画像編集装置が注文装置、サーバ装置、パソコン、画像処理装置、画像編集機能を備えたプリンタ等に組み込まれていてもよい。
【００１０】
また、本発明において、前記画像選択受付部は、表示手段に表示された複数の画像から、編集対象の画像の選択を受け付け、
前記編集要素表示部は、選択された画像以外の画像をグレイアウトする構成である。
【００１１】
この構成によれば、選択された画像には、編集要素を周回的に表示し、それ以外の画像はグレイアウトされるため、編集される画像を際立たせ、画像編集を容易に行なうことができる。
【００１２】
また、本発明の一実施形態において、前記編集要素の表示が、画像のサイズを変化する編集に応じてそのサイズが変化する構成がある。
【００１３】
この構成によれば、編集要素の「サイズ変更」を指示すれば、画像のサイズを変更させると共に編集要素のサイズ（編集要素間を結ぶ輪郭部分のサイズのみでもよい）も変化する。
【００１４】
また、本発明の一実施形態において、前記編集要素の表示が、画像を回転する編集に応じて回転する構成がある。
【００１５】
この構成によれば、編集要素の「回転」を指示すれば、画像を回転させると共に編集要素も回転する。
【００１６】
また、他の本発明のプログラムは、
コンピュータに、
編集対象の画像の選択を受け付ける画像選択受付ステップと、
選択された画像の周りに編集要素を周回的に表示する編集要素表示ステップと、を実行させるための画像編集プログラムである。
【００１７】
また、上記発明において、前記画像選択ステップにおいて、表示手段に表示された複数の画像から、編集対象の画像の選択を受け付け、
前記編集要素表示ステップにおいて、選択された画像以外の画像をグレイアウトする構成である。
【００１８】
また、上記発明の一実施形態として、前記編集要素に基づく画像編集を実行するステップをさらに実行させ、前記編集要素の表示が、画像のサイズを変化する編集に応じてそのサイズが変化する構成である。
【００１９】
また、上記発明の一実施形態として、前記編集要素に基づく画像編集を実行するステップをさらに実行させ、前記編集要素の表示が、画像を回転する編集に応じて回転する構成である。
【００２０】
これらの構成の作用効果は上述と同様の作用効果である。
【００２１】
本発明において、「オーダー」は、写真プリントを作成する場合の注文単位である。「１オーダ」は、フィルム１本分あるいは複数本分、記憶媒体１個分あるいは複数個分、データフォルダ１個分あるいは複数個分についてのプリント注文に係る画像データ群を指すものであるが、これに限定されるものではなく、１オーダーの概念はオペレータ、注文者により適宜設定することができる。
【００２２】
「画像データ」は、例えば、画像、文字、記号、またはそれらの組み合わせで構成されるデジタルデータが挙げられる。以下、同様である。
【図面の簡単な説明】
【００２３】
【図１】写真処理システムの一例について説明するための図
【図２】注文装置の機能構成について説明するための図
【図３】注文操作のフローチャート
【図４】画像編集画面の一例について説明するための図
【図５】画像編集画面の一例について説明するための図
【図６】画像編集画面の一例について説明するための図
【発明を実施するための形態】
【００２４】
本発明に係る画像編集装置の機能を注文装置の機能に含めた実施形態について、図面を用いて説明する。図１は、写真店に設置される写真処理システムの構成の一例を示している。プリンタの種類、設置台数は図１に限定されない。また、画像処理装置５、プリント注文受付のための注文装置１の設置台数も図１に限定されない。写真処理システムを構成するそれぞれの装置はお互いがＬＡＮ等のネットワークによって接続されている。
【００２５】
＜システムの構成＞
この写真処理システムは、写真プリントの作成や記憶媒体への画像書き込みといった画像記録を行うためのシステムである。写真プリントの注文に係る画像データは、顧客が自ら持参した記憶媒体（以下ではメディアと称する）に記録されている。顧客は、注文装置１を操作し、メディアに記録された画像データに基づく写真プリントの注文を行なえる。また、注文に係る画像データは、ネガフィルムからスキャナー（不図示）を用いて読みとることもできる。また、注文者が自宅のＰＣや携帯端末からインターネットを経由し、写真店のサーバにアクセスし注文する、いわゆるオンラインプリント注文も可能である。オンラインプリント注文は公知の構成であり詳細な説明は省略する。
【００２６】
銀塩式プリンタは、画像データに基づいて写真プリントの作成を行える。写真プリントの作成を行う場合は、プリント用に処理されたプリント用画像データを露光エンジンに送信し、ペーパー等の写真感光材料に画像を焼付露光する。画像が焼付露光されたペーパーを現像処理することで、写真プリントを作成することができる。
【００２７】
インクジェットプリンタは、各種データ通信のための通信部を備え、この通信部は、画像処理装置５からプリント用画像データを受信し、メモリに保存する。また、インクジェットプリンタは、ＲＩＰ処理部を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。そして、印刷部は、ＣＭＹＫごとのグレースケールデータに基づいて印刷処理する。印刷部は、ＣＭＹＫのそれぞれのプリントヘッドを備えている。プリントヘッドは、間欠搬送される用紙に対し、プリントヘッドが主走査方向に一走査し、この走査時に、各色のインク吐出ノズルからインクが吐出し、用紙の表面に付着する。この間欠搬送、主走査動作およびインク吐出動作を繰り返すことで、用紙の印刷領域に画像が形成される。インク吐出の方法としては、インクが充填された圧力室内の容積がピエゾ素子によって変化することで、圧力室に連通するインク吐出ノズルからインクを吐出する一般的なピエゾ方式が例示される。
【００２８】
また、不図示の媒体書き込み装置は、ＣＤ−Ｒ（記憶媒体の一例）等のメディアに画像データの書き込みを行う機能を有する。画像処理装置５から画像データを媒体書き込み装置に送信することで、ＣＤ−Ｒ等のメディアに画像データを書き込むことができる。
【００２９】
（注文装置）
注文装置１は、顧客により操作されるものであり、画像データの受付と注文内容の設定等を行うことができる。注文装置１は、それ自身が画像形成プリンタの機能を有していてもよい。例えば、熱昇華型のプリンタを内蔵している。この場合、ネットワークに接続された他の装置と関係なく、独立してプリント処理を行うこともできる。注文装置１は、画像形成用のプリンタを内蔵していない場合、あるいは他のプリンタで写真プリント（またはメディアへの書込み処理）をする場合には、ネットワーク経由で画像処理装置５あるいは直接にプリンタ側にプリント対象の画像データを転送する。画像処理装置５については後述する。
【００３０】
注文装置１は、メディア駆動部１０を備えており、各種メディアＡに格納されている画像データを内部に取り込むことができる。メディアＡとしては、ＣＤ−Ｒ、デジタルカメラ用の記憶メディア、ＭＯディスクなどが例としてあげられる。また、フラットベッドスキャナー（不図示）により、写真フィルムのない写真プリントから画像データを取得することができる。また、注文装置１は、モニター１２を備えており、入力された画像データを画面に表示させることができる。また、注文内容の設定などは、モニター画面に設けられたタッチパネル１３により行うことができる。もちろん、キーボードやマウスなどの入力手段を設けてもよい。
【００３１】
注文装置１は、受付証発行部１１を備えており、注文内容が確定すると、受付証をプリントアウトする。受付証には、注文内容、課金情報、顧客情報などがプリントされる。この受付証を写真店の担当者に渡すことで、画像記録や料金支払いなどが行われる。
【００３２】
注文装置１の構成を図２の機能ブロック図により説明する。注文装置１は、システムＣを備えており、各種ハードウェアとはインターフェースを介して接続される。すなわち、メディア駆動部１０、受付証発行部１１、モニター１２、タッチパネル１３、ハードディスク１４がインターフェースを介して接続される。ハードディスク１４は、メディア駆動部１０を介して取得した画像データを一時的に保存することができる機能を有してしいる。また、ハードディスク１４に、オーダー情報を保存しておくこともできる。ハードディスク１４は、大容量保存手段としての機能の他にＣＰＵ実行の際の作業領域として機能してもよい。また、システムＣ側には不図示のＣＰＵまたはＭＰＵ、メモリ（ＲＯＭ、ＲＡＭ等）が具備されている。
【００３３】
インクジェットプリンタにより写真プリントの作成を行う場合は、適宜のタイミングで画像データを含む注文に関するオーダー情報のデータを、ネットワーク・インターフェース１５を介してネットワークへ送出し、画像処理装置５または直接に各種プリンタに送信する構成である。
【００３４】
（基本処理手段とサービス処理手段）
注文装置１は、基本処理手段２０とサービス処理手段４０、５０、６０とを有している。サービス処理手段は、サービス内容に応じた注文処理を実行する機能であり、例えば、普通プリント、アルバムプリント、コラージュプリント、シャッフルプリント、名刺プリント、はがきプリント、各種サイズによるコレクションプリント、写真集、各種記憶媒体への書き込み処理単位に構成される。サービス処理手段のそれぞれは、その他のサービス処理手段と独立して機能し、任意のサービス処理手段の変更が、その他のサービス処理手段に影響を与えることがないように構成されている。
【００３５】
また、基本処理手段２０、サービス処理手段４０、５０、６０、共通ライブラリ手段３０の情報伝達（例えば、データ、機能の呼び出し）は、例えば、以下のように定義されてもよい。（１）共通ライブラリ手段との情報伝達は、基本処理手段、サービス処理手段共に自由にできる。（２）基本処理手段とサービス処理手段の情報伝達は自由にできる。（３）サービス処理手段間の情報伝達は禁止する。これによりサービス処理手段間の依存性をなくし、任意のサービス処理手段の変更がその他のサービス処理手段に影響を与えないようにでき、個々のサービス処理手段の追加、変更、削除を自由に行える。（４）基本処理手段を経由したサービス処理手段間の情報伝達を可能に設定するオプションを有する。
【００３６】
基本処理手段２０とサービス処理手段４０、５０、６０との情報伝達は、インターフェースによって行われる。サービス処理手段の追加、削除を他のサービス処理手段への影響を無くすために、所定の規則に従ったインターフェースが構築されている。
【００３７】
基本処理手段２０は、複数種の注文処理に共通に用いられる基本処理を実行する機能である。基本処理は、例えば、記憶媒体からの画像データ読み取り処理、注文確定・蓄積処理（カート）の管理、プリンタの操作処理、各種データ転送処理が挙げられる。基本処理手段２０は、例えば、基本制御部２２、基本ＧＵＩ部２１の機能を有する。比較的変更が多い「見た目」の部分（注文操作画面等の表示される処理部分）と、比較的変更が少ない「見た目以外」の部分を分離して構築し、頻繁に発生する見た目の変化による影響を局所化できる効果がある。サービス処理手段４０も同様に、サービスＧＵＩ部４１とサービス制御部４２とを有する。
【００３８】
基本処理手段２０の基本制御部２２の機能について以下に説明する。メディアから画像データを読み込む処理は、サービス処理手段による注文処理手順に依存せずに、または注文処理操作中いつでも実行できる。検知部２２１は、メディアＡがメディア駆動部１０に挿入されたことを示す信号を検知する。これによって、読取制御部２２２は、メディアＡに記録されている画像データを読み取る。読み込まれた画像データはハードディスク１４に保存される。画像データを読み取る場合に、Ｅｘｉｆ情報中のサムネイル画像データを読み込むように構成でき、また、読み込まれた画像データのサムネイル画像を表示するように構成できる。
【００３９】
読み込まれた画像データは、一覧表示部２１１の機能によって、モニター１２の画面に表示される。その表示の一例として図１５、１６が例示される。図１５は、モニター１２の画面に一覧表示される例を示し、図１６は、画面の表示領域を分割して、分割された下部に表示される例を示す。この画面の表示領域を分割して表示する機能は、後述するサービス処理手段４０のサービスＧＵＩ部４１の機能による。
【００４０】
絞込み検索部２２３は、各種絞り込み条件１５０１に応じて画像データを絞り込む機能である。例えば、「全て」を指示（タッチ）し、「写真の絞り込み」１５０２を指示すれば、すべての画像が表示エリア１５０３に表示される。「撮影日」を指示すると、さらに絞り込み条件「昨日と今日」、「最近１週間」、「最近１ヶ月」等が表示され（不図示）、例えば「最近１週間」を指示し、「写真の絞り込み」１５０２を指示すれば、最近１週間の撮影日の画像のみが表示エリア１５０３に表示される。表示エリア１５０３の任意の画像を指示すれば（２重枠の１５０３ａ）は、拡大画像が拡大表示エリア１５０４に表示される。「展開」ボタン１５０５を指示すれば、表示エリア１５０３に表示されている画像が、実行中のサービス処理手段の注文処理に、展開部２２４の機能によって反映される。その詳細は後述する。
【００４１】
サービス処理手段４０、５０、６０は、サービス内容に応じた注文処理を実行する機能であり、例えば、サービス処理手段４０は、コラージュプリントの注文処理機能であり、サービス処理手段５０は、アルバムプリント、サービス処理手段６０は、名刺プリントの注文処理機能として構成できる。他のサービスも任意に注文装置１に追加できる。
【００４２】
サービス処理手段４０を例にして説明する。サービス処理手段４０は、例えば、画像処理部（不図示）、サービス制御部４２、サービスＧＵＩ部４１の機能を有する。
【００４３】
サービス制御部４２の体験モード制御部（不図示）は、注文者の画像データを用いずに、サンプル画像データを用いて注文操作を体験できる機能である。初期設定として体験モードに設定されている。注文者は、自由なタイミングでメディアを挿入し、画像データを注文装置１に読み込ませ、サンプル画像データと入れ替えることができる。展開部２２４の機能によって、メディアから読み込まれて選択された画像データがサービス処理手段４０の注文操作に反映され、その画像データがサンプル画像データと入れ替わり、体験モードは終了する。
【００４４】
（画像編集機能）
画像選択受付部４２１は、タッチパネル１３によって選択指示された画像を受け付ける。画像の選択は、１コマ画像または複数のコマ画像が含まれる画像に対して行なえる。画像が選択されると、編集要素表示部４１１は、選択された画像の周りに編集要素を周回的に表示する（図４参照）。編集要素は、例えば、回転、サイズ変更、特定画像同士の配置換え、削除、ランダム配置換え、オーバーラップ等が挙げられる。画像の周りに周回的に配置されるので、画像編集を直感的に行える。また、編集要素表示部４１１は、選択された画像以外の画像（背景画像を含めてもよくコマ画像のみとしてもよい）をグレイアウトする。画像編集する場合には、任意の編集要素を指示し、画像編集部４２２の機能によって編集を実行する。また、編集要素表示部４１１は、画像編集に応じて周回的な編集要素の表示を変化させることができ、例えば、画像のサイズを変化する編集に応じて編集要素のサイズを変化させたり、画像を回転する編集に応じて編集要素を回転したりする。編集内容の詳細は後述する。
【００４５】
基本ＧＵＩ部２１、サービスＧＵＩ部４１は、モニター１２に表示させる注文処理操作の表示内容を制御し、注文受付操作を顧客が行い易いように、種々の操作に係る表示画面を提供する。操作画面のデータは不図示のメモリに保存されている。
【００４６】
共通ライブラリ手段３０は、基本処理手段２０とサービス処理手段４０、５０、６０が共有で使用し、かつサービス処理手段４０、５０、６０の独立性を低下させないような機能や処理を実行する機能である。
【００４７】
システムＣの各機能は、例えば、コンピュータプログラムとＣＰＵおよびメモリ等の協働作用により実現することができ、このプログラムは、不図示のＲＯＭに記憶されている。また、システムＣを専用回路、ファームウエア等で構成してもよく、それらの組み合わせ構成としてもよい。また、基本処理手段２０を専用回路、ファームウエア等で構成してもよく、サービス処理手段４０、５０、６０をコンピュータプログラムとＣＰＵおよびメモリ等の協働作用により実現してもよい。
【００４８】
（画像処理装置）
画像処理装置５は、オーダー単位に画像データを管理する機能を有している。また、オーダー単位に写真プリント処理、メディアへの書込み処理を制御する機能を有している。以下において、画像処理装置５の主要な構成要素の一例について説明するが、これに限定されない。
【００４９】
画像処理装置５は、不図示のオーダー情報保存手段を備え、オーダー情報を保存する機能を有している。また、画像処理装置５は、写真プリント注文に係る画像データやオーダー情報を管理制御するオーダー管理手段を備えている。オーダー管理手段は、プリント処理に関し、プリンタの設定、プリント順序等を設定できる。また、プリント順序に関し、モニターにオーダー情報を表示させ、プリント順序を変更する機能も有する。
【００５０】
オーダー情報保存手段は、後述するプレジャッジ処理されて設定された補正情報、画像データ、オーダー情報等を保存している。また、画像データは、補正情報に基づいて画像処理された後のデータでもよい。また、画像処理装置５は、各種操作画面を表示するためのモニター等の表示手段と、各種の入力用にキーボード、マウス等の入力手段を備える。
【００５１】
（ジャッジ処理）
ジャッジ手段は、画像データに対するプレジャッジ処理を実行する機能を有する。プレジャッジ処理において、所定数のコマ画像をモニターに表示し、コマ画像ごとにプリント条件を設定することができる。例えば、所定数（例えば、４コマ、６コマ）のコマ画像をモニターに表示し、表示されたコマ画像に対し、プリント枚数、プリントサイズ、画像の補正情報等のプリント条件を設定することができる。このプレジャッジ処理は必ず行なわなければならないものではなく、プレジャッジ処理を省略してプリント処理を行うことも可能である。注文装置１からのオーダー情報の画像データは、ジャッジ処理されてもよく、ジャッジ処理されなくてもよい。
【００５２】
ジャッジ手段は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。設定された補正情報は、画像データ、オーダー情報に関連づけられてオーダー情報保存手段に保存される。
【００５３】
プリント用画像データ作成手段は、ジャッジ手段で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成手段は、コンピュータプログラムと、ＣＰＵ、メモリ等ハードウェア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ側に通信手段によって送信される。
【００５４】
注文装置１から受信したオーダー情報の場合、ジャッジ処理されなくとも、プリント用画像データ作成手段によって、プリンタの種類に応じたプリント用画像データが作成される。なお、別実施形態として、注文装置１側から直接にプリンタ側にオーダー情報を送信し、プリンタ側で、プリント用画像データが作成されてもよい。
【００５５】
（注文処理中の画像編集）
次に、図３のフローチャート、図４から図６の画像編集画面を用いて、注文処理および画像編集について説明する。
【００５６】
まず、注文者は、操作画面に表示されている各種サービスから所望のサービスを選択する（ステップＳ１）。ここでは「コラージュプリント」のサービスが選択されたものとして説明する。次いで、コラージュプリントに用いる画像を選択する（ステップＳ２）。画像選択は、サンプル画像データから自動的に選択されてもよく注文者の指示により選択してもよい。あるいは注文者のメディアから画像データを読み込ませ、選択してもよい。また、コラージュプリントのレイアウトを選択する（ステップＳ２）。注文者がレイアウトデータ群から所望のレイアウトを選択できる。レイアウト選択を省略し、初期設定のレイアウトで注文操作を進めることもできる。なお、レイアウト選択と画像選択の順序は特に制限されない。
【００５７】
次いで、選択された画像によるコラージュ画像が表示される（ステップＳ３）。注文者は編集したい画像を指で指示（タッチ）する（ステップＳ４）。例えば、図４の画像４００（斜線部分）が指示される。そして、図４に示すように、選択された画像を取り囲むように、編集要素（４０２、４０３、４０４、４０５、４０６ａ、４０６ｂ、４０７）が周回的に表示される。また、各編集要素は輪郭４０１上に配置される。選択されたコマ画像以外のコマ画像および背景はグレイアウト５００される。
【００５８】
編集要素について説明する（ステップＳ６、Ｓ７）。「削除  Ｄｅｌｅｔｅ」４０２をタッチすると、画像４００は削除され、編集要素の表示もなくなる。「重複  Ｏｖｅｒｌａｐ」４０３をタッチすると、画像４００が他の画像よりも前面表示されるか背面表示される。選択された画像が前面表示なら、「重複  Ｏｖｅｒｌａｐ」４０３をタッチすると背面表示に切り換わり、選択された画像が背面表示なら、「重複  Ｏｖｅｒｌａｐ」４０３をタッチすると前面表示に切り換わる。
【００５９】
「サイズ変更  Ｒｅｓｉｚｅ」４０４をタッチしながらドラッグすると、画像４００のサイズを大きくまたは小さく変更できる。このサイズ変更では縦横比は一定である。編集要素「サイズ変更」４０４の表示サイズはそのままで、輪郭４０１のサイズが画像４００のサイズに応じて変化する。図５は画像サイズを小さくした一例である。
【００６０】
「回転  Ｒｏｔａｔｅ」４０５をタッチしながら矢印方向に回転すると、画像４００が回転し、また、すべての編集要素、輪郭４０１も同時に回転する。回転しても編集要素の表示はユーザからみた天地方向を維持する。図６は画像を回転した一例である。
【００６１】
また、「配置入れ替え  Ｒｅｐｌａｃｅ」４０６ａをタッチすると、画像４００が４０６ｂに位置する画像と相互に入れ替わる。４０６ｂは、ドラッグ＆ドロップにより任意の画像位置に移動できる。「Ｒａｎｄｏｍ」４０７をタッチすると画像４００が他の画像とランダムに入れ替わる。
【００６２】
画像編集が終了すると、プリント枚数の設定、注文内容の確認処理が行われる（ステップＳ８）。
【００６３】
（別実施形態）
画像編集装置の機能を画像処理装置の機能に含めて構成することもできる。また、画像編集装置の機能要素は、ソフトウェアとハードウェア（ＣＰＵ（ＭＰＵを含む概念）、メモリ等）の協働作用によって実現でき、専用回路あるいはファームウエア等で、またはそれらの組み合わせで実現することもできる。
【００６４】
ソフトウェアで実現する場合、そのプログラムは以下のようになる。このプログラムは、記憶媒体に記録され、記憶媒体に保存された形態として提供可能であり、また、通信回線を介して提供（ダウンロード提供）されてもよい。通信回線を介して提供される場合、その一部の機能のみが提供されてもよく、他の一部がサーバ装置に残っていてもよく、全体の機能として本発明の機能が発揮されていれば本発明の技術的範囲に含まれる。
【００６５】
この画像編集プログラムは、
コンピュータに、
編集対象の画像の選択を受け付ける画像選択受付ステップと、
選択された画像の周りに編集要素を周回的に表示する編集要素表示ステップと、を実行させるための画像編集プログラムである。
【００６６】
また、前記画像選択ステップにおいて、表示手段に表示された複数の画像から、編集対象の画像の選択を受け付け、
前記編集要素表示ステップにおいて、選択された画像以外の画像をグレイアウトする構成である。
【００６７】
また、コンピュータに、前記編集要素に基づく画像編集を実行するステップをさらに実行させ、前記編集要素の表示が、画像のサイズを変化する編集に応じてそのサイズが変化する構成である。
【００６８】
また、コンピュータに、前記編集要素に基づく画像編集を実行するステップをさらに実行させ、前記編集要素の表示が、画像を回転する編集に応じて回転する構成である。
【符号の説明】
【００６９】
１      注文装置
１０    メディア駆動部
１２    モニター
１３    タッチパネル
２０    基本処理手段
２１    基本ＧＵＩ部
２２    基本制御部
３０    共有ライブラリ手段
４０    サービス処理手段
４１    サービスＧＵＩ部
４１１  編集要素表示部
４２    サービス制御部
４２１  画像選択受付部
４２２  画像編集部
【図１】
2010224796.tif 000003
【図２】
2010224796.tif 000004
【図３】
2010224796.tif 000005
【図４】
2010224796.tif 000006
【図５】
2010224796.tif 000007
【図６】
2010224796.tif 000008